(57)【要約】【課題】  従来の竹集成体製品では、軽量で高い形態安定性と耐久性を有し、安定な反り面を形成した多様な形態の竹集成体製品を造ることは難しい。【解決手段】  本考案は、成形した少なくとも複数本の竹を竹成長方向に接合し、所望の大きさの竹集成体Ｉとなし、その少なくとも２枚の竹集成体Ｉを竹成長方向が交差する状態にクロス積層し、該積層体を加工処理して所望の厚さ、大きさで、かつ反り面を形成してなる積層竹集成体ＩＩとし、該積層竹集成体ＩＩを製品指向に応じた後処理を施し、所望の製品形態に加工した強靭性のある竹集成体製品である。【選択図】図１
0003125207.tif 000002
【実用新案登録請求の範囲】
【請求項１】
複数の竹集成体をクロス積層した積層竹集成体を所定の形状に加工した竹集成体製品であって、該製品を構成する竹集成体が、成形した少なくとも複数本の竹を竹成長方向に並列接合して所望の長さ、厚さ及び幅の竹集成体Ｉとなし、該竹集成体Ｉの複数枚を積層するに当たり、少なくとも２枚の竹集成体Ｉは竹成長方向が交差する状態にクロス積層して所望の厚さ、大きさの板状集成体ＩＩとなし、かつ、該板状集成体ＩＩは漂白・防虫処理、熱処理、表面処理を施してなる板状集成体となし、更に、必要に応じて難燃剤、酸化防止剤、耐光安定剤、撥水剤、殺菌剤、帯電防止剤、染料及び／又は顔料から選ばれた着色剤、樹脂組成物及び油剤から選ばれた処理剤の一種類又は少なくとも複数種類を付与してなる板状竹集成体ＩＩであって、該板状竹集成体ＩＩは反り面を形成してなる板状竹集成体であり、該板状竹集成体を主体として成形加工した竹集成体製品であることを特徴とする強靭性のある竹集成体製品。
【請求項２】
請求項１記載の竹集成体製品が該竹集成体製品の少なくとも一部表面部分に布帛状物を貼付してなる強靭性のある竹集成体製品。
【請求項３】
請求項１又は請求項２記載の竹集成体製品がテーブル。
【請求項４】
請求項１又は請求項２記載の竹集成体製品が机。
【請求項５】
請求項１又は請求項２記載の竹集成体製品が腰掛け。
【請求項６】
請求項１又は請求項２記載の竹集成体製品が棚板。
【請求項７】
請求項１又は請求項２記載の竹集成体製品が書棚。
【請求項８】
請求項１又は請求項２記載の竹集成体製品が壁材。
【請求項９】
請求項１又は請求項２記載の竹集成体製品が天井板材。
【請求項１０】
請求項１又は請求項２記載の竹集成体製品が床材。
【請求項１１】
請求項１記載の竹集成体製品が簀の子。
【請求項１２】
請求項１記載の竹集成体製品が手桶。
【請求項１３】
請求項１記載の竹集成体製品が樽。
【請求項１４】
請求項１又は請求項２記載の竹集成体製品が花器。
【請求項１５】
請求項１又は請求項２記載の竹集成体製品が柱材。
【考案の詳細な説明】
【技術分野】
【０００１】  本考案は、高い強度と形態安定性及び耐久性を有した多様な形態の竹集成体製品であって、優れた感覚的特性と機能性を有し、安定した反り面を形成してなる竹集成体製品に関するものである。
【背景技術】
【０００２】  従来、竹集成体製品は竹の成長方向に割って加工した細長い竹材を多数配列接着、あるいは配列接着した集成体を積層して得た板状竹集成体が特開２００１−１０５４０８号公報に、竹集成体と木製合板を積層した積層材が特開平９−１６９０７６号公報に、竹を長さ方向に裁断した切断竹材を、導管が切断露出している木口断面が表裏方向に配されるように多数並列した板状の集成材体が特開２００２−５９４０６号公報に、また、竹材を用いた木造建築物用集成材として、平板状に成形された割竹と製材からなる木材単板とを交互に複数積層して集成接着した構造用集成材が特開平９−５７７１４号公報に提案されている。
【考案の開示】
【考案が解決しようとする課題】
【０００３】  従来の竹集成体製品は、整形した細長い竹材を同一方向に多数配列接着した板状竹集成体や、その板状竹集成体を同一方向に並べて積層接着した板状竹集成体、あるいは板状竹集成体と木製板を積層接着した竹集成体積層材が使われている。しかし、従来の竹集成体積層材では強くて安定した反り面を有した竹集成体製品や丸みを有した竹集成体製品を製造することは容易ではなく、しかも安価に、かつ安定に供給することが困難であった。本考案は、強くて安定した反り面（曲面）を有した強靭性のある竹集成体製品であって、かつ該製品を安定に供給できる竹集成体製品に関するものである。
【課題を解決するための手段】
【０００４】  本考案は、複数の竹集成体をクロス積層した積層竹集成体を所定の形状に加工した竹集成体製品であって、該製品を構成する竹集成体が、成形した少なくとも複数本の竹を竹成長方向に並列接合して所望の長さ、厚さ及び幅の竹集成体Ｉとなし、該竹集成体Ｉの複数枚を積層するに当たり、少なくとも２枚の竹集成体Ｉは竹成長方向が交差する状態にクロス積層して所望の厚さ、大きさの板状集成体ＩＩとなし、かつ、該板状集成体ＩＩは漂白・防虫処理、熱処理、表面処理を施してなる板状集成体となし、更に、必要に応じて難燃剤、酸化防止剤、耐光安定剤、撥水剤、殺菌剤、帯電防止剤、染料及び／又は顔料から選ばれた着色剤、樹脂組成物及び油剤から選ばれた処理剤の一種類又は少なくとも複数種類を付与してなる板状竹集成体ＩＩであって、該板状竹集成体ＩＩは反り面を形成してなる板状竹集成体であり、該板状竹集成体を主体として成形加工した竹集成体製品であることを特徴とする強靭性のある竹集成体製品である。【０００５】  また、本考案は、上記竹集成体製品が該竹集成体製品の少なくとも一部表面部分に布帛状物を貼付してなる強靭性のある竹集成体製品である。【０００６】  また、本考案は、上記竹集成体製品または少なくとも一部表面部分に布帛状物を貼付してなる竹集成体製品がテーブルである。【０００７】  また、本考案は、上記竹集成体製品または少なくとも一部表面部分に布帛状物を貼付してなる竹集成体製品が机である。【０００８】  また、本考案は、上記竹集成体製品または少なくとも一部表面部分に布帛状物を貼付してなる竹集成体製品が腰掛けである。【０００９】  また、本考案は、上記竹集成体製品または少なくとも一部表面部分に布帛状物を貼付してなる竹集成体製品が棚板である。【００１０】  また、本考案は、上記竹集成体製品または少なくとも一部表面部分に布帛状物を貼付してなる竹集成体製品が書棚である。【００１１】  また、本考案は、上記竹集成体製品または少なくとも一部表面部分に布帛状物を貼付してなる竹集成体製品が壁材である。【００１２】  また、本考案は、上記竹集成体製品または少なくとも一部表面部分に布帛状物を貼付してなる竹集成体製品が天井板材である。【００１３】  また、本考案は、上記竹集成体製品または少なくとも一部表面部分に布帛状物を貼付してなる竹集成体製品が床材である。【００１４】  また、本考案は、上記竹集成体製品が簀の子である。【００１５】  また、本考案は、上記竹集成体製品が手桶である。【００１６】  また、本考案は、上記竹集成体製品が樽である。【００１７】  また、本考案は、上記竹集成体製品または少なくとも一部表面部分に布帛状物を貼付してなる竹集成体製品が花器である。【００１８】  更に、本考案は、上記竹集成体製品または少なくとも一部表面部分に布帛状物を貼付してなる竹集成体製品が柱材である。【００１９】  本考案の積層竹集成体の製法は、所定の長さと幅に整形した割竹を引き揃えて、定法で処理して所望する長さと幅に接合した板状竹集成体Ｉと成し、その板状竹集成体を所望する製品形態に応じて所定の大きさの板状竹集成体Ｉに整形する。次いで、その板状竹集成体Ｉを所望する製品に応じて、少なくとも２枚の板状竹集成体Ｉを竹���長方向が交差する状態に積層し（以下、クロス積層と称す）、所望する製品を製造し得る厚さ、大きさとした後、クロス積層した竹集成体Ｉを定法で加圧接着成形処理して竹繊維の配列方向が交差状態にある一枚の板状積層竹集成体ＩＩとする製法（方法１）。また、他の製法として、所定の長さと幅に整形した割竹を処理装置内に引き揃えて第１層形成竹集成体層とし、次いでその上に所定の長さと幅に整形した割竹を第１層の竹集成体とは交差するクロス積層状態に引き並べて第２層形成竹集成体層としたクロス積層状態に並べ、次いで、定法で加熱加圧処理して一挙に所望の形態の板状積層竹集成体ＩＩとする製法（方法２）で強靭性のあるクロス積層竹集成体ＩＩを得る。【００２０】  上記の板状竹集成体ＩＩは指向する製品用途に応じて漂白・防虫処理、熱処理、表面処理を施して竹集成体製品とする。あるいは、更に、竹集成体製品は指向する用途に応じて難燃剤、酸化防止剤、耐光安定剤、撥水剤、殺菌剤、帯電防止剤などの薬剤処理、更に染料及び／又は顔料から選ばれた着色剤、樹脂組成物、あるいは油剤などの処理剤処理を施して竹集成体ＩＩとして使用する。更に、竹集成体製品の指向する用途によっては、竹集成体ＩＩの少なくとも表面部分あるいは全体に着色処理や模様付け処理した布帛又は／及びプラスチックスフィルムあるいはシート状物（これらを本明細書では「布帛状物」と総称す）などの布帛状物を貼付して優雅な外観、良好な触感・風合いの竹集成体製品とすることもよい。【００２１】  本考案の竹集成体製品の製法は、竹を長さ方向に所望する長さと幅に裁断した割竹を整形し、前処理して得た割竹を製品形態を勘案した大きさに引き並べ、接着・熱処理後、所望の厚さにスライス又は／及び研磨処理して整形し、所望の厚みを持った竹集成体Ｉを造る。この製法では、整形した割竹の皮面〜肉面の厚さ関係や竹集成体Ｉの厚さなどによってもたらされる剛性と撓み性などを勘案して積層体を構成することが竹集成体ＩＩやその製品の反りの状態を支配する重要な要因である。次いで、所望する厚さに整形した竹集成体Ｉを、所望する製品を製造し得る厚さ、大きさになるように、少なくとも複数枚の竹集成体Ｉをクロス積層して高温加圧成形・接着処理して一枚の板状竹集成体ＩＩを製造する。このようにして製造した竹集成体ＩＩからは形態の安定した反りと強度を有した竹集成体製品を得ることができる。なお、竹集成体Ｉに使用する原料竹の剛性（しなやかさ）や積層する竹集成体Ｉの厚み関係、竹集成体Ｉの剛性、積層処理過程の諸条件の管理などによって反りの状態を変えた竹集成体ＩＩ製品が得られる。また、本考案の反りを有する竹集成体製品は、従来の竹集成体製品に比較して高い強度と、安定した製品形態を維持した竹集成体製品である。【００２２】  次に、本考案の竹集成体製品の実施態様を図面で説明する。【００２３】  図１は、本考案の請求項１に記載の竹集成体製品の基本的な積層状態を説明した模式図であり、基本的な竹集成体製品１は、２枚の竹集成体を１層の竹集成体１１に、２層目の竹集成体１２をクロス積層した竹集成体製品の状態を説明した断面模式図である。また、図２は、本考案の竹集成体Ｉを多層にクロス積層した竹集成体製品２��模式図であり、２枚の竹集成体１１、１２を交互にクロス積層した５層からなる竹集成体製品の状態を説明した断面模式図である。【００２４】  図３は、本考案の請求項２に記載の積層竹集成体製品の表面に布帛状物を貼付した竹集成体製品の基本的な積層状態を説明した断面模式図であり、２枚の竹集成体１１、１２をクロス積層した竹集成体の一面に布帛状物１３を積層した竹集成体製品の状態を説明した断面模式図である。【００２５】  図４は、本考案の請求項５に記載の竹集成体製品の一例である腰掛け（スツール）の模式図であり、反りを有する腰掛けの天板１４を反りを有する脚部１５で支えた構造の模式図である。【００２６】  図５は、本考案の竹集成体製品の一例であるテーブルや机などに使用するのに適した脚部の模式図であり、従来の棒状脚部に比較して高い安定性があり、外観上も高い安定感が得られる。脚５は反りのある脚部１６と脚間を固定する脚間固定部１７でなる脚部の模式図である。
【考案の効果】
【００２７】  本考案の竹集成体Ｉをクロス積層して得た竹集成体製品は強度が高く、かつ製品形態の安定性が高いために使用に当たり、反りや曲がりなどの変形をもたらすこともなく、安定した反り面を形成してなる竹集成体製品である。また、反り面を有効に利用して丸みのある製品や安定した反り面のある製品が得られる。更に、反り面を利用した様々な形状の製品を作ることができ、得られた製品は高い強靭性があり、視覚的に柔らかさを与える製品である。また、竹集成体製品に布帛状物を貼付することで優雅な外観や良好な触感・風合いを有した強靭な竹集成体製品が得られる。
【図面の簡単な説明】
【００２８】
【図１】クロス積層竹集成体の断面模式図である。
【図２】多層クロス積層した竹集成体の断面模式図である。
【図３】表面に布帛状物を貼付したクロス積層竹集成体の断面模式図である。
【図４】クロス積層竹集成体でなる腰掛け（スツール）の模式図である。
【図５】クロス積層竹集成体でなるテーブル用脚の模式図である。
【符号の説明】
【００２９】１  クロス積層竹集成体
２  多層クロス積層竹集成体
３  布帛状物を貼付したクロス積層竹集成体
４  腰掛け（スツール）
５  テーブル用脚
１１  竹集成体Ｉ
１２  クロス積層した竹集成体Ｉ
１３  布帛状物
１４  腰掛けの天板
１５  腰掛けの脚部
１６  テーブル用脚の脚部
１７  テーブル用脚の脚間固定部
【図１】
0003125207.tif 000003
【図２】
0003125207.tif 000004
【図３】
0003125207.tif 000005
【図４】
0003125207.tif 000006
【図５】
0003125207.tif 000007